(57)【要約】【課題】リモコンと電気錠本体とを含む電気錠システムにおいて、解錠コード不明時に備えて、電子マスタキーを用意しながらも、しかし、マスタコードが部外者に発覚し難いセキリュティ度が高い電気錠本体の解錠方式を提供する。【解決手段】電気錠本体７は、錠機構１０付きの保管庫１０ａを具備し、自身の解錠コード記載ラベル９が貼ってあり、電気錠本体７は、リモコンで入力されることのない未使用のコードによる解錠のためのマスタコードを記憶する構成であり、前記マスターコードを送信する電子マスタキー１ａを用意する。【選択図】      図２
2004225515.tif 000002
【特許請求の範囲】
【請求項１】
解錠コードを入力するリモコンで操作される電気錠本体を含む電気錠システムにおいて、
前記電気錠本体は、錠機構付きの保管庫を具備し、自身の解錠コードが表示してあるとともに、
前記電気錠本体は、前記リモコンで入力されることのない未使用のコードによる解錠のためのマスタコードを記憶する構成であり、
前記マスターコードを送信する電子マスタキーを用意することを特徴とする電気錠本体の解錠方式。
【請求項２】
前記リモコンが送信する解錠コードは、ＢＣＤコードであり、前記マスタコードは、該ＢＣＤコードの未使用コードである、請求項１記載の電気錠本体の解錠方式。
【請求項３】
前記電気錠本体は、シャックルを具備する、請求項１記載または請求項２記載の電気錠本体の解錠方式。
【請求項４】
前記リモコンは、携帯端末と接続することによって使用可能となる構成であり、前記電子マスタキーは、携帯端末と接続しなくても使用可能となる構成である、請求項１記載、請求項２記載または請求項３記載の電気錠本体の解錠方式。
【発明の詳細な説明】
【０００１】
【発明の属する技術分野】
本発明は、リモコン装置である電子キーで電気錠本体に解錠要求情報を送信して、その電気錠本体を解錠する電気錠システムにおける非常時の電気錠本体の解錠方式に関する。
【０００２】
【従来の技術】
マンション、アパートなどの賃貸／売却物件のドアノブなどに例えばシャックルにてぶら下げておく電気錠本体と、リモコンと、を具備する電気錠システムが知られている。各電気錠本体は、鍵などを保管する錠付き保管庫を有し、解錠のための情報、すなわち解錠コードを表示している。解錠コードを表示するというのは、解錠コードとして、例えば３５７、２４９などと記載してあるシールを、各電気錠本体にそれぞれ貼るなどする、ということである。リモコンを所持する者は、このシールに記載してあるその電気錠本体の解錠コードを見て、リモコンでその解錠コードを電気錠本体に送信し、該電気錠本体の保管庫を開けて、ドアの鍵を取り出し、顧客をその賃貸／売却物件の部屋に案内することができる。担当者、すなわちリモコンを所持する者は、電気錠本体毎に異なる解錠コードを、一々、覚えたり、メモしたりする必要がないので、便利である。しかし、何らかの理由、例えば、いたずらなどで、電気錠本体に貼ってあるそのシールが剥がれたり、破損したりして、解錠コードが不明になると、その電気錠本体をリモコンで解錠することができなくなる。
【０００３】
こういうときのために、電気錠システムに、いわゆるマスタキーを導入することが、当然、考えられる。
リモコン（電子キーとも言う）で電気錠本体に解錠情報を送信して、該電気錠本体を解錠する電気（符号）錠システムないし電子（符号）錠システムにおいて、リモコンを紛失したり、前記解錠情報を紛失したりしたときのために、いわゆるマスタキーを用意することが知られている。すなわち、（全）電気錠本体に共通のマスタコードを記憶させ、特定のもしくは全部のリモコンから前記マスタコードを解錠情報として送信可能な構成とするやり方である。
電気錠システムにマスターキーを導入した技術については、例えば特開２０００−３２０２１１号公報に開示されている。
しかし、電気錠システムにマスター電子キーを用意すると、セキリュティ度が低下するという問題が生じる。何らかの事情でマスタコードが外部に漏れると、リモコンを所持するものであれば誰でも、そのマスターコードで、マスタコードを記憶する全ての電気錠本体を解錠できるからである。
【０００４】
【特許文献１】
特開２０００−３２０２１１号公報
【０００５】
【発明が解決しようとする課題】
本発明に係る電気錠本体の解錠方式は、上記した従来の技術が有する問題点に鑑み成されたものであり、次の課題を解決することを目的とする。
リモコンと電気錠本体とを含む電気錠システムにおいて、解錠コード不明時に備えて、電子マスタキーを用意しながらも、しかし、マスタコード、すなわち共通コードが部外者に発覚し難いセキリュティ度が高い電気錠本体の解錠方式を提供する。
【０００６】
【課題を解決するための手段】
上記課題を解決するための本発明の第１発明は、請求項１に記載されたとおりの電気錠本体の解錠方式であり、次のようなものである。
解錠コードを入力するリモコンで操作される電気錠本体を含む電気錠システムにおいて、前記電気錠本体は、錠機構付きの保管庫を具備し、自身の解錠コードが表示してあるとともに、前記電気錠本体は、前記リモコンで入力されることのない未使用のコードによる解錠のためのマスタコードを記憶する構成であり、前記マスターコードを送信する電子マスタキーを用意することを特徴とする電気錠本体の解錠方式である。
【０００７】
上記課題を解決するための本発明の第２発明は、請求項２に記載されたとおりの電気錠本体の解錠方式であり、次のようなものである。
請求項１記載の電気錠本体の解錠方式において、前記リモコンが送信する解錠コードは、ＢＣＤ（Ｂｉｎａｒｙ  Ｃｏｄｅｄ  Ｄｅｃｉｍａｌ）コードであり、前記マスタコードは、該ＢＣＤコードの未使用コードであるものである。
【０００８】
上記課題を解決するための本発明の第３発明は、請求項３に記載されたとおりの電気錠本体の解錠方式であり、次のようなものである。
請求項１記載または請求項２記載の電気錠本体の解錠方式において、前記電気錠本体は、シャックルを具備するものである。なお、このシャックルにも錠機構が付いていてもよい。
【０００９】
上記課題を解決するための本発明の第４発明は、請求項４に記載されたとおりの電気錠本体の解錠方式であり、次のようなものである。
請求項１記載、請求項２記載または請求項３記載の電気錠本体の解錠方式において、前記リモコンは、携帯端末と接続することによって使用可能となる構成であり、前記電子マスタキーは、携帯端末と接続しなくても使用可能となる構成である。
なお、本明細書では携帯端末のことを携帯電話機とも称するものとする。すなわち、携帯電話機という用語は、電話機に限らず、電話機以外の無線（通信）端末をも含むものとする。
【００１０】
【発明の実施の形態】
図１は、保管庫を具備しリモコンで操作する電気錠システムのブロック図である。
電気錠システムは、リモコン１及び電子錠本体７を含む。リモコン１は、解錠コード、すなわち電子錠本体７の錠機構１０を解錠するための識別符号ないし暗証番号を入力するための入力部２を具備している。この入力部２には、例えばテンキーを使用する。
電子錠本体７は、保管庫１０ａを備えており、その保管庫１０ａは、錠機構１０を有している。また、電子錠本体７は、ドアノブなどに取り付けるためのシャックル１１を有していてもよく、そのシャックル１１も錠機構を備える構成でもよい。電子錠本体７は、マンション、アパート、一戸建てのような不動産物件のドアノブに取り付けるのが通常の使い方である。
また、電子錠本体７は、自身の解錠コードを表示している。そのために、例えば、解錠コードを記載したシールを電子錠本体７の適当な部位に貼る。解錠コード記載ラベル９がそのシールであり、例えば０３８と記入されている。この０３８は、十進数で表示することが望ましく、ここでは、０３８は十進数であるものとする。すなわち、この電子錠本体７の識別コードないし解錠コードは、「０３８」である。
リモコン１を所持する者、通常、営業担当者は、解錠コード記載ラベル９を見て、「０３８」を入力部２から入力する。ＣＰＵ３は、「０３８」を受け取り、メモリ５に記憶されているＢＣＤコード表を参照して、「００００」、「００１１」及び「１０００」を読み出す。十進数の０がＢＣＤコードの００００に、同３が同００１１に、同８が同１０００に相当するからである。通信装置４は、ＣＰＵ３から受け取った「００００」「００１１」「１１００」すなわち続けて書けば「００００００１１１０００」というデータを電子錠本体７の制御・通信部８へ送信する。この送信は、有線によるものでも無線によるものでもどちらでもよい。
制御・通信部８（が具備する記憶部）は、十進数で表現すると０３８、実際にはＢＣＤコードで「００００００１１１０００」と表される解錠コード６を記憶しているので、受信した「００００００１１１０００」と記憶している「００００００１１１０００」とを照合し、その結果によって、錠機構１０を解錠したり、解錠を許可しなかったりの制御を行なう。
本発明に関連する電気錠システムは、このような構成である。
なお、入力部２からの入力情報を２進符号に変換する方式は、ＢＣＤコードに限らず、他の２進化符号でもよい。例えばＧｒａｙコードでもよい。
【００１１】
本発明は、このような電気錠システムにおける電気錠本体の解錠方式であり、例えば、次のような構成例で実施できる。
図２は、本発明に係わる電気錠本体の解錠方式の実施の一形態を示すブロック図である。
今、図１に示す解錠コード記載ラベル９が何らかの事情、例えばいたずらなどではがれて、解錠コード「０３８」が失われたとする。電子錠本体７の錠機構１０を開けるためには、リモコン１側の入力部２に「０、３、８」と打ち込まなければならないが、しかし、それはできない。こうなると、手の打ち用がなくなる。電気錠システムのメーカの人間を現場に呼び寄せたとしても、電子錠本体７が記憶している解錠コード６が十進数で表現するなら「０３８」、ＢＣＤコードでは「００００００１１１０００」であることを、電子錠本体７から読み出すことは容易ではない。
そこで、本発明ではこのような事態に備えて、電子マスタキー１ａを用意する。この電子マスタキー１ａは、リモコンの一種であり、マスタコードを必ず記憶しているか、マスタコードを入力可能か、のいずれか一方もしくは両方である。図２では、メモリ５に二進数のマスタコード「１０１１１１０１」が記憶されていることを示している。例えば、入力部２で「＃，６」と打ち込むと、ＣＰＵ３はその入力情報がマスタコード送信のコードであることを認識し、通信装置４を介して、メモリ５が記憶するマスタコードを送信する。
電子錠本体７の制御・通信部８は、マスタコード６ａを記憶しているので、受信するマスタコードと記憶しているマスタコード６ａとを照合して、保管庫１０ａの錠機構１０を解錠することができる。
ここでのマスタコード「１０１１１１０１」は、ＢＣＤコードでは使用されないコードであるので、図１に示すリモコン１では入力することができない。なぜなら、図１のリモコン１の入力部２で打ち込まれるキーは、ＣＰＵ３がＢＣＤコードとして認識するからである。
従って、例えば電気錠システムのメーカなり、電気錠システムの管理者がこの電子マスタキー１ａを保有するようにしておけば、図１に示す解錠コード記載ラベル９が剥がれるなどして、電子錠本体７の解錠コードが不明となっても、電子マスタキー１ａを保有している者にその電子マスタキー１ａを電気錠本体７のところに持ってきてもらえば、電子錠本体７を確実に解錠できる。
【００１２】
図３は、本発明に係わる電気錠本体の解錠方式の別の実施の一形態を示すブロック図である。
電子マスタキー１ａには、入力部２としてテンキーは、必ずしも必要でない。電子マスタキー１ａは、マスタコード送信用ボタン２ａを設け、そのボタンを操作すると、メモリ５に格納してある二進数のマスタコード「１０１１１１０１」が送信される構成にしてもよい。
また、電子錠本体７のシャックル１１にも錠機構１１ａを設け、電子マスタキーは、そのシャックル解錠ボタン２ｂを押すと、シャックル１１の錠機構１１ａを解錠するコードを送信する構成としてもよい。ここでは、メモリ５に格納しておくシャックル解錠用マスタコード６ｂは、「１１１１１１１０」であるとした。
【００１３】
図４は、リモコンに携帯電話機を利用する本発明に係わる電気錠本体の解錠方式の実施の一形態を示すブロック図である。
電子マスタキー１ａは、携帯電話機１２とそれに接続する送信ユニット１３で構成してもよい。携帯電話機１２が具備するデータ通信端子（図示せず）に送信ユニット１３を接続し、携帯電話機１２の入力部２で、マスタコード送信コマンドを入力する。そのコマンドは、送信ユニット１３のＣＰＵ３に伝送され、ＣＰＵ３は、メモリ５から該マスタコード「１０１１１１０１」を読み出し、通信装置４を介して送信する。
電子錠本体７側の構成は、図２と同様である。
【００１４】
【発明の効果】
本発明に係る電気錠本体の解錠方式は、以上説明してきたような構成であるので、以下に記載する効果を奏する。
リモコンと電気錠本体とを含む電気錠システムにおいて、電気錠本体に記載してある解錠コードが不明となった時に備えて、電子マスタキー用意した。しかし、その電子マスタキーのマスタコード（共通コード）には、該電子マスタキー以外の電気錠システムのリモコンが使用するコード体系の未使用コードを充てているので、共通コードが部外者に発覚し難いセキリュティ度が高い電気錠本体の解錠方式を提供することが可能である。
【図面の簡単な説明】
【図１】保管庫を具備しリモコンで操作する電気錠システムのブロック図である。
【図２】本発明に係わる電気錠本体の解錠方式の実施の一形態を示すブロック図である。
【図３】本発明に係わる電気錠本体の解錠方式の別の実施の一形態を示すブロック図である。
【図４】リモコンに携帯電話機を利用する本発明に係わる電気錠本体の解錠方式の実施の一形態を示すブロック図である。
【符号の説明】
１  リモコン
１ａ  電子マスタキー
２  入力部
２ａ  マスタコード送信ボタン
２ｂ  シャックル解錠ボタン
３  ＣＰＵ
４  通信装置
５  メモリ
６  解錠コード
６ａ  マスタコード
６ｂ  シャックル解錠用マスタコード
７  電子錠本体
８  制御・通信部
９  解錠コード記載ラベル
１０  錠機構
１０ａ  保管庫
１１  シャックル
１１ａ  錠機構
１２  携帯電話機
１３  送信ユニット
【図１】
2004225515.tif 000003
【図２】
2004225515.tif 000004
【図３】
2004225515.tif 000005
【図４】
2004225515.tif 000006